(57)【要約】      （修正有）【課題】プールの上面を覆った防水シート上の雨水を、プール内の水に混入することなく、プール外へ自然に流出するようにしたプール用カバーを提供する。【解決手段】プール１内の上端周縁２に取り付ける連結材（フック）を外周に設けた防水シート５の中央部に雨水の排水口８を設け、この排水口に上端を取り付けたホース１０の下端に、プールの排水口４に嵌合するパッキングを設けた。【選択図】図１
0003190789.tif 000002
【実用新案登録請求の範囲】
【請求項１】
外周にプール内の上端周縁に取り付ける連結部を設けた防水シートの中央部に雨水の排水口を設け、この排水口に上端を取り付けたホースの下端に、プールの排水口に嵌合するパッキングを設けたことを特徴としたプール用カバー。
【考案の詳細な説明】
【技術分野】
【０００１】
本考案は、プール内に雨水や埃が混入するのを防止するプール用カバーに関するものである。
【背景技術】
【０００２】
幼稚園や保育園の屋外に設置したプールを防水シートで覆い、プール内に雨水が流入したり埃が雨水と一緒に流入するのを防止している。然しこの防水シート上に多量の雨水が滞留した場合、この雨水をプール内の水に流し込むことなく、排出させることは人手も掛かり、極めて困難であった。
【考案の概要】
【考案が解決しようとする課題】
【０００３】
本考案は、プールの上面を防水シートで覆い、防水シート上に降った雨水が、プール内の水に流れ込むことなくプール外へ自然に流出するようにしたプール用カバーを提供することを目的としている。
【課題を解決するための手段】
【０００４】
本考案に係る考案は、外周にプール内の上端周縁に取り付ける連結部を設けた防水シートの中央部に雨水の排水口を設け、この排水口に上端を取り付けたホースの下端に、プールの排水口に嵌合するパッキングを設けたことを特徴としている。
【０００５】
本考案に係る考案は、上記のように構成されているので、防水シートの外周に設けた取付け部をプールの周縁に固定して、防水シートによりプール上を覆った後、防水シートの中央部の排水口に上端を取り付けられているホースの下端に設けたパッキングを、プールの排水口からゴム栓を離脱し、開口した排水口に直ちに嵌合する。悪天候になり雨水が防水シート上に溜まると，雨水は排水口からホース内に流れ、プールの排水口から放水される。
【０００６】
上記防水シートの排水口へのホースの連結は、固定式でも着脱式でも良い。またプールへの防水シートの連結は、プール側に間隔を保ってフックを設け、防水シートの周縁に間隔を保って連結紐を設けても良い。
【考案の効果】
【０００７】
本考案に係るプール用カバーは、防水シート上に降った雨を、防水カバー上に溜めることなくホース内に流入させ、プールから排出させることができるので、有害な細菌等が含まれている虞のある雨水をプール内の水に混入するような心配がない。
【０００８】
また防水シート上に雨水が溜まることがないので、プールからの防水シートの取外しが軽くて軽快に行うことができる。更にホースの下端に設けたパッキングは、プール内の水圧を利用してプールの排水口に容易に嵌め込むことができる。
【図面の簡単な説明】
【０００９】
【図１】本考案に係るプール用カバーの実施形態を示す縦断面図である。
【図２】同上実施形態におけるプール用カバーの周縁の取り付け状態を示す縦断面図である。
【図３】同上実施形態における防水シートの排水口とホースの上端との連結状態を示す縦断面図である。
【図４】同上実施形態におけるホースの下端とプールの排水口との連結状態を示す縦断面図である。
【考案を実施するための形態】
【００１０】
以下、本考案に係るプール用カバーの実施形態を図１乃至図４を参照して詳細に説明する。
【００１１】
符号１は幼稚園、保育園等で利用しているポリエステル樹脂製の組立て式プールであり、図１、図２に示すように，プール１の上端周縁に折り曲げ縁２を設け、図４に示すように、プール１の一側下部に栓３で密閉した排水口４を形成している。
【００１２】
符号５は防水シートであり、周縁を長めの外カバー５ａと短めの内カバー５ｂにより構成され、内カバー５ｂには、プール１の折り曲げ縁２の下端に嵌合するフック６を間隔を保って取付けている。また防水シート５の中央部には雨水７の排水口８を穿設し、該排水口８に固定筒９を取付けている、
【００１３】
符号１０はホースであり、上端に装着した連結部材１１を前記固定筒９に螺着し、下端に設けたゴム製のパッキング１２をプール１の排水口４に嵌着している。尚符号１３はプール１内に蓄えた水であり、１４は防水シート５上に溜まった雨水である。
【００１４】
図１に示すように、水１３を張ったプール本体１に防水シート５を被せ、防水シート５の外周に設けたフック６をプール１の折り曲げ縁２に嵌合すると同時に、ホース１０の下端に設けたパッキング１２を、栓３を外した排水口４に連結するときは、防水シート５に降った雨水７は、防水シート５の中央部、即ち排水口８の周囲に集まり、自然にホース１１内に流入し、プール１の排水口４より、外側に排出される。このように、防水シート５上に雨水が溜まることがないので、防水シートの離脱が容易であり、また誤って汚れた雨水をプール内の水に混入する虞がない。
【符号の説明】
【００１５】
１        プール
２        折り曲げ縁２
３        栓
４        排水口
５        防水シート
６        フック
７        雨  水
８        排水口
９        連結筒
１０      ホース
１１      連結部材
１２      パッキング
１３      プール内の水
【図１】
0003190789.tif 000003
【図２】
0003190789.tif 000004
【図３】
0003190789.tif 000005
【図４】
0003190789.tif 000006
【手続補正書】
【提出日】平成26年3月11日(2014.3.11)
【手続補正１】
【補正対象書類名】明細書
【補正対象項目名】０００４
【補正方法】変更
【補正の内容】
【０００４】
本考案に係る考案は、外周にプール内の上端周縁に取り付ける連結材を設けた防水シートの中央部に雨水の排水口を設け、この排水口に上端を取り付けたホースの下端に、プールの排水口に嵌合するパッキングを設けたことを特徴としている。
【手続補正２】
【補正対象書類名】明細書
【補正対象項目名】００１２
【補正方法】変更
【補正の内容】
【００１２】
符号５は防水シートであり、周縁を長めの外カバー５ａと短めの内カバー５ｂにより構成され、内カバー５ｂには、プール１の折り曲げ縁２の下端に嵌合するフック６（連結材）を間隔を保って取付けている。また防水シート５の中央部には雨水７の排水口８を穿設し、該排水口８に固定筒９を取付けている、
【手続補正３】
【補正対象書類名】明細書
【補正対象項目名】００１３
【補正方法】変更
【補正の内容】
【００１３】
符号１０はホースであり、上端に装着した連結部材１１を前記固定筒９に螺着し、下端に設けたゴム製のパッキング１２をプール１の排水口４に嵌着している。尚符号１３はプール１内に蓄えた水である。
【手続補正４】
【補正対象書類名】明細書
【補正対象項目名】００１４
【補正方法】変更
【補正の内容】
【００１４】
図１に示すように、水１３を張ったプール本体１に防水シート５を被せ、防水シート５の外周に設けたフック６をプール１の折り曲げ縁２に嵌合すると同時に、ホース１０の下端に設けたパッキング１２を、栓３を外した排水口４に連結するときは、防水シート５に降った雨水７は、防水シート５の中央部、即ち排水口８の周囲に集まり、自然にホース１０内に流入し、プール１の排水口４より、外側に排出される。このように、防水シート５上に雨水が溜まることがないので、防水シートの離脱が容易であり、また誤って汚れた雨水をプール内の水に混入する虞がない。
【手続補正５】
【補正対象書類名】明細書
【補正対象項目名】００１５
【補正方法】変更
【補正の内容】
【００１５】
１        プール
２        折り曲げ縁
３        栓
４        排水口
５        防水シート
６        フック
７        雨  水
８        排水口
９        連結筒
１０      ホース
１１      連結部材
１２      パッキング
１３      プール内の水
【手続補正６】
【補正対象書類名】実用新案登録請求の範囲
【補正対象項目名】全文
【補正方法】変更
【補正の内容】
【実用新案登録請求の範囲】
【請求項１】
外周にプール内の上端周縁に取り付ける連結材を設けた防水シートの中央部に雨水の排水口を設け、この排水口に上端を取り付けたホースの下端に、プールの排水口に嵌合するパッキングを設けたことを特徴としたプール用カバー。